(57)【要約】  高平均及びピーク出力の単一横モードレーザーシステムは、フェムト秒、ピコ秒またはナノ秒のパルス持続時間の範囲で、ｋＷからＭＷのピーク出力レベルで超短単一モード（ＳＭ）パルスを出力するように動作可能である。開示されるシステムは、１０３０ｎｍまたはその近傍でパルス信号ビームを出力するＳＭファイバーシードと、Ｙｂ結晶ブースターと、を含む、主発振器出力増幅器構成（ＭＯＰＡ）を採用する。ブースターは、ＳＭまたはローモードＣＷファイバーレーザーから出力されたポンプビームによって、１０００から１０２０ｎｍの波長範囲のポンプ波長でエンドポンプされ、信号及びポンプ波長は、３％未満の超低量子欠陥を有するように選択される。【特許請求の範囲】
【請求項１】
１０３０ｎｍの波長λｓまたはその近傍の単一モード（ＳＭ）シード出力パルス信号ビームと、
前記信号ビームを受け取るイッテルビウム（Ｙｂ）ドープ結晶または結晶セラミックブースターと、
を含む、主発振器出力増幅器（ＭＯＰＡ）構成と、
１０００から１０２０ｎｍの波長範囲内の波長λｐの高輝度ポンプビームをエンドポンプＹｂブースターに出力する単一またはローモード連続波（ＣＷ）ファイバーレーザーと、を含み、
前記信号及びポンプビームが、８０から１００％の範囲内で互いに重複して実質的に同軸的または同一直線上に伝搬し、前記波長λｓ及びλｐが、超低量子欠陥を提供するように選択される、高出力単一モード（ＳＭ）レーザーシステム。
【請求項２】
超低量子効果が３％未満である、請求項１に記載の高出力ＳＭレーザーシステム。
【請求項３】
前記ＹｂブースターがＹｂ：ＹＡＧ結晶またはＹ２Ｏ３セラミックを含み、平板または棒状に成形された、請求項１または２に記載の高出力ＳＭレーザーシステム。
【請求項４】
前記ポンプ光の前記波長λｐが１００６から１０１０ｎｍの波長範囲内で変化し、１０１０ｎｍの波長が好適であり、超低量子効果が２から２．５％の間である、請求項１または２に記載の高出力ＳＭレーザーシステム。
【請求項５】
前記ＳＭまたはローモードＣＷファイバーレーザーポンプが、最大数ｋＷのポンプ光を出力するように動作可能である、請求項１に記載の高出力ＳＭレーザーシステム。
【請求項６】
前記ＳＭシードが、ｆｓ、ｐｓまたはｎｓパルス持続時間の範囲の一連の超短信号光パルスを出力するように動作可能である１つもしくは複数のレーザーダイオードまたはＳＭファイバーレーザーとして構成された、請求項１に記載の高出力ＳＭレーザーシステム。
【請求項７】
バルク増幅器の側部に第１及び第２の波長識別器をさらに含み、前記第１及び第２の波長識別器がそれぞれダイクロイックミラーまたはボリュームブラッグ格子（ＶＢＧ）である、請求項１に記載の高出力ＳＭレーザーシステム。
【請求項８】
前記Ｙｂ結晶ブースターの出力における信号ビームが、
数百ワットから数ｋＷまで変化する平均パルス出力と、
数百マイクロジュールから数ミリジュールの範囲のパルスごとのエネルギーと、を特徴とする、請求項１に記載の高出力ＳＭレーザーシステム。
【請求項９】
前記シードが、モードロックファイバーレーザーを含む、請求項１に記載の高出力ＳＭレーザーシステム。
【請求項１０】
少なくとも１つの前段増幅ステージをさらに含む、請求項９に記載の高出力ＳＭレーザーシステム。
【請求項１１】
前記シードが純粋パルスモードまたはバーストモードで動作する、請求項１に記載の高出力ＳＭレーザーシステム。
【請求項１２】
前記ポンプビームがＹｂブースターの対向する端部の一方または両方の端部に結合されるように、前記ＣＷ高輝度ファイバーレーザーが前記ポンプビームを出力する、請求項１に記載の高出力ＳＭレーザーシステム。
【請求項１３】
１０３０ｎｍの波長またはその近傍のＳＭ信号ビームを受け取るイッテルビウム（Ｙｂ）バルク増幅器と、
１０００から１０２０ｎｍの波長範囲の波長λｐでＹｂバルク増幅器の対向するファセットの一方または両方のファセットに結合される高輝度ポンプビームを出力する、単一またはローモード連続波（ＣＷ）ファイバーレーザーと、を含み、
前記信号及びポンプビームが、互いに８０％超重複して伝搬し、波長λｓ及びλｐが、３％未満の超低量子欠陥を提供するように選択された、ブースター。
【請求項１４】
前記バルク増幅器が、平板または棒状であるように構成され、超低量子効果が、２から２．５％の間である、請求項１３に記載のブースター。
【請求項１５】
前記Ｙｂバルク増幅器が、Ｙｂ：ＹＡＧまたはＹｂ２Ｏ３セラミックを含む、請求項１３に記載のブースター。
【発明の詳細な説明】
【技術分野】
【０００１】
本開示は、１０３０ｎｍの波長またはその近傍で動作し、１０００から１０２０ｎｍの波長範囲で動作する単一横モード（ＳＭ）またはローモード（ＬＭ）ファイバーレーザーによってエンドポンプされた、高出力、高輝度の希土類ドープされたバルクイッテルビウム（Ｙｂ）増幅器に関する。
【背景技術】
【０００２】
高効率超短パルスレーザーは、産業用途に制限なく使用されている。多数の種類の固体レーザーのうち、おそらくファイバーレーザーは、他と比べて高い効率、メンテナンスの必要性の低さ及び高い平均出力に起因して、次第に一般的になりつつある。残念ながら、ピーク出力レベルを高くすると、ファイバーレーザー、特にＳＭファイバーレーザーは、達成可能なピーク出力を制限し、大多数の用途では回折限界に近いことが必要とされるビームの品質に悪影響を及ぼす、望ましくない非線形効果の影響を受ける。ファイバーレーザー産業は、この限界を改善することについてたゆまぬ努力を続けている一方で、バルクレーザーの解決手段が、ＳＭファイバーレーザーに対する、実行可能な代替手段として考えられている。
【０００３】
固体レーザーのダイオードポンピングは、小型のパッケージング及び高度に効率的なレーザー性能などの多くの望ましい特性を提示することができ、そのため、固体レーザー開発の主要な方向性になっている。９４０から９８０ｎｍの間の波長を有する高出力ダイオードレーザーの近年の発展は、ダイオードポンプされたＹｂ３＋ドープレーザー及び増幅器の発展において新たな関心を刺激してきた。２つの電子的マニフォルド、すなわち基底の２  Ｆ７／２状態及び励起された２  Ｆ５／２状態に基づく単純な電子的構造のために、Ｙｂ３＋は、近赤外におけるダイオードポンプ方式に良好に適した有利な分光特性を有する。まず、イッテルビウムは、一般に長い保存寿命を有し、これはＮｄドープされた同等品よりもほぼ４倍長い。第２に、Ｙｂ３＋イオンドープ材料は、ポンプダイオードの温度を精密に制御する必要性を排除する、幅広い吸収バンドを呈する。次に、単純な２つのマニフォルドの電子構造は、低い量子欠陥、励起状態吸収がないこと、及び非放射損失の最小化につながり、これらの因子全ては、熱負荷及び熱に伴う問題の低減につながる。Ｙｂ３＋に追加的な４ｆ準位がないことも、アップコンバージョンの効果を排除し、濃度クエンチを最小化し、そのため高くドープされたＹｂ結晶でさえも、濃度クエンチなく利用可能である。ＹＡＧの良好な熱特性、物理特性、化学特性およびレーザーの特徴のために、最も注意が払われるのは、よく開発されたレーザー材料であるＹｂドープイットリウムアルミニウムガーネット（Ｙｂ：ＹＡＧ）結晶である。高品質の高ドープＹｂ：ＹＡＧ結晶は、従来のチョクラルスキー（ＣＺ）法を用いて成長可能である。
【０００４】
しかし、Ｙｂドープ媒体を含む結晶レーザー及び増幅器はまた、よく知られた限界も有する。特に、ダイオードポンプされた高出力固体レーザーシステムの出力増大に対する２つの基本的な限界は、
１．高出力ダイオードレーザー（ＤＬ）及びアセンブリの輝度が低いこと、及び
２．顕著な量子欠陥である。
【０００５】
結晶増幅器の出力増大に対する基本的な限界の１つは、ＤＬポンピングで例示される。知られているように、高出力（多ワット）ＬＤは、明るい光を発生しない。しかし、高輝度ポンプ源が、あらゆるレーザーシステムの効率及び出力を増大するための鍵となる技術の１つであるが、特にＹｂドープ媒体（例えばＹｂ：ＹＡＧ）をポンプすることについて重要である。
【０００６】
そのため、高輝度光源において、低い量子欠陥を有するレーザー結晶増幅器をポンピングする必要性が存在する。
【０００７】
増幅器の光−光効率全体の量は、ポンプ効率ηＰと抽出効率ηｅｘの積であり、ηＰはＥａｃｃ／ＥＰで定義され、ＥＰはポンプエネルギーであり、Ｅａｃｃは抽出に利用可能な蓄積されたエネルギーの部分である。Ｙｂ媒体の準３準位の性質に起因して、蓄積したエネルギーの全てが利用可能なわけではない。ポンプ効率は、ポンピングに関連する損失の和によって、またはこれらの損失に関連して効率ηｉの積によって決定される。この他に、前述のように結晶増幅器の高ピーク出力の増大に重要な量子欠陥を含むいくつかの損失メカニズムが存在する。
【０００８】
量子欠陥は、レージング（抽出）光子とポンプ光子との間のエネルギーの違いの結果である。関連する効率は、ηＱＤ＝λＰ／λＬで与えられ、λＰ及びλＬはそれぞれ、ポンプ波長及び抽出（信号）波長である。Ｙｂドープ材料の１つの利点は、その量子欠陥が小さいことであり、その欠点は、準３準位の性質である。ηＱＤを最大化するために、λＰとλＬとの間の差は最小にされるべきである。例としてＹｂ：ＹＡＧレーザー媒体を考える場合、抽出波長は、典型的には１０３０ｎｍ（λＬ）の増幅ピークに設定される。ポンプ波長を選択するための標準的な手法は、９４０または９６９ｎｍの２つの最も強い吸収ピークのうちの一方を選択することである。これにより、高出力ポンプレーザーダイオードの輝度の制限の問題を緩和できるように、発振器または増幅器で使用されるＹｂドープレーザー結晶の長さを最小化することができるようになる。９４０ｎｍまたは９６９ｎｍのポンプ波長λＰの使用は、ηＱＤ＝９１〜９４％に対応する。まとめると、より小さな量子欠陥が、増幅器の光学効率を増大させるのに有益であるが、イッテルビウムのような準３準位レーザーシステムでは、より小さな量子欠陥は、達成可能な反転準位を制限する。この制限は、適切なレーザー増幅器または発振器の設計で解決可能である。
【０００９】
したがって、１）可能な限り回折限界に近い高輝度、すなわちＳＭレーザー、及び２）量子欠陥を最小化し、結晶増幅器の達成可能な光学効率を増大するためにレーザー媒体の発光ピークに近いポンプ波長、を有するポンプ源の必要性が存在する。
【発明の概要】
【課題を解決するための手段】
【００１０】
本出願に開示される手法は、前述の必要性を十分に充足する。開示された固体レーザーシステムは、光学経路にそって伝搬するパルス信号光を出力するシード源として動作する、ＳＭファイバーレーザーを含む。結晶増幅器は、所望の抽出波長でパルス信号光を受け取り、増幅された信号光を、ｆｓ、ｐｓまたはｎｓ幅の範囲の超短パルスの形態で出力する。増幅された信号光のピーク出力は、増幅器にエネルギーを付与するポンプアセンブリーの関数であり、数十から数千ｋＷのレベルに到達しうる。
【００１１】
本開示の１つの態様によれば、ポンプアセンブリーは、高輝度の回折制限された（ＳＭ）ポンプ光を連続波（ＣＷ）方式で出力する１つまたは複数のファイバーレーザー源を含む。ビーム品質の１つの測定値は、ビーム発散の立体角によって分割された単位面積当たりの出力、すなわちステラジアン当たりかつ１平方センチメートル当たりのワットである輝度Ｂである。輝度は、出力Ｐをπ２とビームパラメータ積Ｑの２乗とで割ることによって与えられる。
【００１２】
【数１】
2020501366.tif 000002
【００１３】
したがって、開示されたＳＭファイバーポンプでは、希土類ドープ結晶増幅器、すなわち低輝度ポンプ源の出力増大の主要な制限は、実質的に最小化された。
【００１４】
結晶増幅器の出力増大を制限する他の課題は、ポンピング構成の効率に関する。例えば、１μｍのレーザーシステムでは、９４０から９８０ｎｍのポンプ波長範囲及び１０３０ｎｍの信号（抽出）波長が、大きな量子欠陥を与えるのにスペクトル的に十分離れており、この大きな量子欠陥は、ダイオードポンプ手法の効率を根本的に制限する。
【００１５】
この制限は、本開示の第２の態様によって対処された。すなわち、開示されたＳＭ  Ｙｂファイバーレーザーポンプ構成は、ポンプ光を、３％未満、好適には２．０から２．５％の範囲内の超低量子欠陥をもたらす１０００から１０１０ｎｍの波長範囲内であるように出力するように構成される。開示された量子欠陥は、ＬＤポンプされたＹｂ：ＹＡＧで知られる６から９％の典型的な量子欠陥よりも実質的に少ない。信号光とポンプ光との間の波長の差が小さいことは、超低量子欠陥ポンピング方式と呼ばれる。
【００１６】
超低量子欠陥ポンピングの利点により、アクティブレーザー媒体の熱負荷をきわめて低くすることが可能になり、最大７０から８０％の、より高い抽出効率を容易に達成でき、これらは結晶増幅器の大きな出力増大に不可欠である。
【００１７】
本開示の前述の構造的態様は、添付する図面とともに、以下により詳細に説明される。
【図面の簡単な説明】
【００１８】
【図１】ＹｂドープＹＡＧの吸収断面積である。
【図２】ＹｂドープＹＡＧの棒材または平板の発光断面積である。
【図３】超低量子欠陥ポンピングを有する開示された構造の光学的概略図である。
【図４】図４Ａ及び４Ｂはそれぞれ、１０１０ｎｍにおいて、吸収ポンプ出力に対してプロットされた出力パワー及び増幅特性である。
【図５】図５Ａ及び５Ｂはそれぞれ、１００６ｎｍにおいて、吸収ポンプ出力に対してプロットされた出力／パワー及び増幅特性である。
【図６】図３に示された構造の改良を示す。
【図７】ドーパント濃度または結晶長さに対してプロットされた開示されたバルク増幅器の出力である。図８は異なる寸法の開示されたバルク増幅器の出力の合計ポンプ出力からの依存性を示す。
【発明を実施するための形態】
【００１９】
図１及び２は、Ｙｂイオンドープ増幅媒体の吸収及び発光断面積を示している。典型的には、ポンプ波長は、幅広く利用される高出力レーザーダイオードから得られうる、９４０〜９８０ｎｍの範囲内で選択される。抽出波長は、１０３０ｎｍ±５ｎｍ未満の増幅ピークまたはその近傍に設定される。対称的に、本開示は、ＳＭ高輝度ファイバーレーザーを利用する、１０００〜１０２０ｎｍ及び有利には１００６〜１０１０ｎｍの波長範囲に特に関心のある１μｍ波長範囲のポンピングの、別の、従来とは異なる手法を開示する。
【００２０】
図３は、本開示を示し、高出力増幅器もしくはブースターなどの単独の増幅システム、またはより大きく、より複雑な増幅システムの一部として動作可能な、例示的なレーザーシステム１０を示す。主発振器出力増幅器（Ｍａｓｔｅｒ  Ｏｓｃｉｌｌａｔｏｒ  Ｐｏｗｅｒ  Ａｍｐｒｉｆｉｅｒ，ＭＯＰＡ）アーキテクチャを有するか、または単独のブースター増幅器であるように構成されると、レーザーシステム１０は、多くの産業用途において特に関心のある、１０３０ｎｍの波長において、ｆｓ、ｐｓまたはｎｓパルス持続時間の範囲の信号光の超短パルスを出力するように動作可能である。所望のパルス持続時間は、所望の信号光波長及びパルス反復率で、信号光を出力するように動作可能なシード１２によって提供される。シード１２は、好適には純粋なパルスまたはバースト形態で動作するパルスＳＭファイバーレーザーである。ファイバーレーザー／発振器はモードロックされうる。シード１２の構成はまた、ファイバー発振器に加えて、１つまたは複数の前段増幅ステージを含みうる。ファイバー発振器を有さない高出力ダイオードレーザーに使用が考えられるが、ダイオードレーザーの輝度がファイバー発振器の輝度とは比較にならないため、効率がより低い。線幅はパルス持続時間に依存するが、好適には４〜７ｎｍの範囲で変化する。
【００２１】
出力信号光が光経路にわたって伝搬すると、信号光を棒状及び薄い平板を含む様々な幾何学的形状及び寸法を有しうるＹｂ：ＹＡＧ結晶１６の内部に集束する光学系Ｌ１  １４に入射する。これは、小さな幅、例えば２ｍｍの幅及び例えば６ｃｍに達する比較的大きな長さを有する平板形状の本体でありうる。Ｙｂ：ＹＡＧ結晶の他に、特に前述の平板構成が使用される場合には、Ｙｂ２Ｏ３などのＹｂ酸化物セラミックスの使用が、非常に高いドーパント（Ｙｂ）濃度の可能性のために、非常に有益でありうる。
【００２２】
Ｙｂブースターは、ＳＭ信号光をｋＷ〜ＭＷのピーク出力レベル及び、パルスごとに数百マイクロジュールから数ミリジュールの範囲のエネルギーに増幅するように動作可能である。回折限界ビームでのそのような高ピーク出力は、信号ビームと同じ方向または反対方向に伝搬しつつ、Ｙｂ結晶ブースターの対向するファセットの１つに結合されるポンプビームを出力するポンプ構成（ポンプ）１８の結果である。その対向する端部においてＹｂブースターをポンプする構成も可能である。伝搬方向に関係なく、信号及びポンプビームは、８０％から、特定の条件では１００％の間で変化する範囲で互いに重複して同一直線状を伝搬し、９０％を超える重複が明らかに有利である。
【００２３】
ポンプ１８は、この場合にはＹｂイオンでドープされたファイバーレーザーを有して構成され、１０００〜１０２０ｎｍの波長範囲の高輝度ポンプ光を出力するようにＣＷ方式で動作する。ポンプ光のＭ２は、１から１０まで変化し、１と２との間の範囲が好適である。したがって、ポンプ１８は、フィルターまたは波長識別器Ｆ１に入射する前に、集束光学系Ｌ２及びＬ３  ２０を通ってポンプ高輝度光ビームを出力する単一モードまたはローモードＣＷファイバーレーザーとして構成されうる。
【００２４】
フィルターＦ１は、図示されるようにダイクロイックミラーとして、またはボリュームブラッグ格子（ＶＢＧ）２２として構成され、後者は特に、信号及びポンプビームがそれぞれ互いに非常に近接した波長λｓ及びλｐで伝搬する場合には実用的である。特定の構成及びビーム伝搬方向とは無関係に、信号光及びポンプビームの両方が前述するように同一直線上を伝搬し、同軸上に伝搬することもあるように、フィルター２２は、信号光に対して透明であり、ポンプ光を反射する。実際には、信号及びポンプビームは、開示されたシステムの性能全体に悪影響を及ぼさない１°未満の非常に小さな角度で互いから発散しうる。重複したビームは、ポンプ１８を有する増幅器及び端部ポンピング構成である増幅器１６のファセットの一方に同時に入射する。増幅器１６は、それぞれ増幅カスケード１６及び２６または図６に示されるように、単一カスケード１６を画定する複数の結晶またはセラミック部を含みうる。複数カスケード増幅構成が用いられる場合、別の集束レンズＬ４  ２４が、下流側結晶増幅カスケード２６の内部にビームを集束するように設置される。
【００２５】
図４Ａ〜４Ｂは、１０１０ｎｍポンプ出力に対する結晶増幅器の出力及び増幅をそれぞれ示している。グラフは、０．１ＭＨｚ（青い点）のより低いパルス反復率（Ｐｕｌｓｅ  Ｒｅｐｅｔｉｔｉｏｎ  Ｒａｔｅ，ｐｒｒ）及び１ＭＨｚ（赤い点）のより高いｐｒｒにおいて得られている。シード平均出力は、結晶増幅器からの達成可能な増幅及び出力に影響を与えることが分かる。図４Ｃ〜４Ｄは１００６ｎｍのポンプにおいて同じ傾向を示している。
【００２６】
図５Ａ、５Ｂは、１ＭＨｚのｐｒｒにおいてそれぞれ１０１０及び１００６ｎｍの波長のポンプ光における開示されたシステムの出力での増幅スペクトルを示している。図に示されるように、青い曲線は、１０１０ｎｍのポンプ波長について１８３．５Ｗ、及び多くの実験セットアップの１つにおいて１００６ｎｍのポンプ波長について９３．５である最大ポンプ出力に対応する。
【００２７】
図６は、システム１０の改良を示している。ここでは、それぞれが一対の結晶を有する２つの増幅カスケードの代わりに、単一の結晶３０を有する１つの増幅カスケードが使用される。一般に、結晶の長さ及びドーパント濃度は、それぞれ幅広い範囲から選択されうる。最適化の目的のために、結晶の長さを増大するとドーパント濃度を低下させる必要があり、またその逆も同様である。一般に、濃度の範囲は、通常約２０％で制限される任意の合理的な割合を含んでもよく、一方結晶の長さは、数十センチメートル程度の長さでありえ、結晶長さが１センチメートル未満で最良の結果が得られうる。図示された構成要素の残りは、図３において使用されたものと同一のままである。図３の実施形態と同様に、それぞれ１０３０及び１０１０ｎｍの波長の信号光及びポンプ光ビームは、ダイクロイックミラーまたはＶＢＧのいずれかでありうるフィルター２２から下流に光経路に沿って同軸上を伝搬する。
【００２８】
図３及び６の両方の方式での広範囲な実験は、増幅された信号光が、１０１０ｎｍのポンプ波長よりも１００６ｎｍのポンプ波長における方がより出力が大きく、これは、その他すべての条件が同じであるような状況では、反転がより短いポンプ波長でより高くなるため、よく理解される。これらの条件は、シード出力、吸収ポンプ出力及びシード／ポンプビームの大きさを含む。図３のＹｂ：ＹＡＧ１６の測定された吸収係数は、１０１０ｎｍポンプ波長よりも１００６ｎｍポンプ波長において約１．５倍高い。重要なことに、悪影響を及ぼすレンズ効果は、１００６及び１０１０ｎｍのポンプ波長の両方について最小であり、これは開示されたポンプ波長の両方において量子効果が小さいことによって容易に説明できる。ビームの大きさは、本質的には同じ、３％未満の変動のままであり、シード出力は２Ｗから７Ｗの範囲であり、及び／またはポンプ出力は９３Ｗと１８０Ｗとの間の範囲である。よく理解できるように、ポンプ出力は、制限なくｋＷレベルに到達しうる。パルスエネルギーは、機能ポンプ出力であり、数百マイクロジュールから数ミリジュールまで幅広い範囲のエネルギー内で変動する。図６に概略図が示されている。対称的に、熱レンズ効果は、図６の９６９ｎｍポンプ波長でそれ自体を明白に示している。ビームの大きさは約２１％変化し、ポンプ出力は低いｐｒｒ及び高いｐｒｒの両方で０から９７．５Ｗまで増大する。
【００２９】
観察されたデータに基づいて、出力を含む図３及び６の開示されたシステム１０の特性を改善する方法は明らかである。１つの有用な改良は、結晶の長さを増加させることを含む。結果の改善につながるさらに別の改良は、ドーパント濃度の増加である。前述の傾向の両方は図７に示されている。図８は、ファイバーレーザーポンプの出力における全ポンプ出力が増大するにつれて、出力システムのパワーが増加することを示している。赤色の曲線は青色の曲線におけるものよりも大きな結晶の長さに対応している。
【００３０】
さらに、ＳＭまたはローモードファイバーポンプの出力及び輝度を増大することにより、増幅器結晶内の増幅領域の比較的小さな断面（断面積）を可能にし、すなわちＩｓａｔより十分高い出力密度での動作を可能にする。１μｍの波長及び０．２ｍｍ以上のビーム直径のガウシアンビームについて、結晶の長さが２０から８０ｍｍに変化すると、発散は重要ではなくなる。高輝度回折限界高出力ビームを有するポンピングが、Ｙｂ増幅器の効率の改善に重要であることは明らかである。
【００３１】
Ｙｂイオンについてホスト媒体はＹＡＧに限定されず、多数の様々な結晶を含みうることが理解される。ホスト結晶の非限定的なリストは、ガーネット（ＬｕＡＧ、ＧＧＧなど）、タングステン酸塩（例えばＫＧＷ、ＫＹＷ、ＫＬｕＷ）、バナジウム酸塩（ＹＶＯ４、ＹＧｄＯ４）、フッ化物（ＹＬＦ、ＬｕＬｉＦ、ＣａＦ２など）、ホウ酸塩（ＢＯＹＳ、ＧｄＣＯＢ）、リン灰石（ＳＹＳ）、三二酸化物（Ｙ２Ｏ３、Ｓｃ２Ｏ３）及びその他の物を含みうる。さらに、その他の希土類イオン及び各結晶が、高出力ＳＭファイバーポンプ及び低量子欠陥によって特徴づけられる共振ポンピングで使用されうる。
【００３２】
前述の説明および例は、バルク増幅器にエネルギーを付与するために、信号光ビームとともに同軸的に伝搬するポンプビームを出力するＳＭ高出力高輝度ＣＷポンプレーザーを用いる本開示の主要な概念を示すためだけに記述されたものである。本明細書で開示された構造的な仕様は、限定を意図されるものではない。したがって、開示は、開示された概念の範囲内の全ての変形例を含むものと幅広く解釈されるべきものである。
【符号の説明】
【００３３】
１０  レーザーシステム
１２  シード
１４  光学系Ｌ１
１６  Ｙｂ：ＹＡＧ結晶
１８  ポンプ
２０  集束光学系Ｌ２及びＬ３
２２  ボリュームブラッグ格子（ＶＢＧ）
２４  集束レンズＬ４
２６  増幅カスケード
３０  結晶
【図１】
2020501366.tif 000003
【図２】
2020501366.tif 000004
【図３】
2020501366.tif 000005
【図４】
2020501366.tif 000006
【図５】
2020501366.tif 000007
【図６】
2020501366.tif 000008
【図７】
2020501366.tif 000009
【国際調査報告】
2020501366.tif 000010